(57)【要約】【課題】パイロットバルブアッセンブリブロックの本体ブロックに対する位置合わせ加工精度をことさらに要求しなくとも簡単かつ容易にしかも精確に本体ブロックにパイロットアッセンブリブロックを組み付けることができる往復動式流体移送ポンプを提供する。【解決手段】本発明の往復動式流体移送ポンプは、本体ブロック２に対して往復動されるセンターロッド５の端部に設けられて送液室１９と駆動室２１とを画成する隔膜６を拡縮させて、送液室１９に流入する移送流体を送出するものにおいて、本体ブロック２にメインリング３０を介して隔膜６の周辺部が挟持固定され、メインリング３０にサブリング３４を介してセンターロッド５の往復動を検出するパイロットバルブ１６を一体に有するパイロットバルブアッセンブリブロック１７が押し付け固定されている。【選択図】  図１
2004308475.tif 000002
【特許請求の範囲】
【請求項１】
本体ブロックに対して往復動されるセンターロッドの端部に設けられて送液室と駆動室とを画成する隔膜を拡縮させて、送液室に流入する移送流体を送出する往復動式流体移送ポンプにおいて、
前記本体ブロックにメインリング及びサブリングを介して前記隔膜の周辺部が挟持固定され、前記メインリング及びサブリングにより前記センターロッドの往復動を検出するパイロットバルブを一体に有するパイロットバルブアッセンブリブロックが、前記本体ブロックに対して押し付け固定されていること、を特徴とする往復動式流体移送ポンプ。
【請求項２】
前記本体ブロックに前記センターロッドの可動方向を切り換えるための切り換えバルブを一体に有する切り換えバルブアッセンブリブロックが固定され、該切り換えバルブアッセンブリブロックと前記パイロットバルブアッセンブリブロックとが前記切り換えバルブの各ポートと前記パイロットバルブの各ポートとを接続する流路を形成する配管ブロックにより接続されていること、を特徴とする請求項１に記載の往復動式流体移送ポンプ。
【請求項３】
前記各ポートと前記配管ブロックの各流路とがコネクタにより接続されていること、を特徴とする請求項２に記載の往復動式流体移送ポンプ。
【請求項４】
前記配管ブロックが前記パイロットバルブアッセンブリブロックを介して前記本体ブロックに固定されていること、を特徴とする請求項３に記載の往復動式流体移送ポンプ。
【発明の詳細な説明】
【０００１】
【発明の属する技術分野】
本発明は、本体ブロックに対して往復動されるセンターロッドの端部に設けられて送液室と駆動室とを画成する隔膜を拡縮させて、送液室に流入する移送流体を送出する往復動式流体移送ポンプの改良に関する。
【０００２】
【従来の技術】
従来から、往復動式流体移送ポンプには、両端にそれぞれ送液室と駆動室とを隔絶して画成するヘッド内に例えばダイヤフラムを位置合せして固定し、本体ブロックに対し往復動されるセンターロッドを備え、センターロッドを一方側に駆動するときにはその他方側の駆動室に駆動流体（例えば、圧縮空気）を供給してその他方側の送液室の移送流体を吐出させると共に、センターロッドの一方側の駆動室の駆動流体を排出させつつその一方側の送液室に移送流体を吸入させ、センターロッドを他方側に駆動するときにはセンターロッドの一方側の駆動室に駆動流体を供給してその一方側の送液室の移送流体を吐出させると共に、センターロッドの他方側の駆動室の駆動流体を排出させつつその他方側の送液室に移送流体を吸入させ、そのセンターロッドの往復動により移送流体を連続的に移送する構成のダイヤフラムポンプがある（特許文献等１）。
【０００３】
【特許文献等１】
米国特許  第６１０６２４６号
【０００４】
【発明が解決しようとする課題】
ところで、そのダイヤフラムポンプは、センターロッドの往復動ストロークを検出するパイロットバルブを一体に備えたパイロットバルブアッセンブリブロックと、パイロットバルブの検出出力に基づき駆動流体の流路を切り換えるための切り換えバルブを一体に備えた切り換えバルブアッセンブリブロックとを本体ブロックに組み付ける構成とされている。
【０００５】
しかしながら、その組付けに際して、切り換えバルブアッセンブリブロックの各ポートに対してパイロットバルブアッセンブリブロックの各ポートの位置合わせをして駆動流体の流路を形成しなければならないために、本体ブロックに対するパイロットバルブアッセンブリブロックの位置合わせ加工精度が要求されると共に、組み付け精度が要求されている。
【０００６】
一方、本体ブロックに対するパイロットバルブアッセンブリブロックの位置合わせを行わずに、流路形成用のチューブを用いて、切り換えバルブアッセンブリブロックの各ポートとパイロットバルブアッセンブリブロックの各ポートとを接続する構成のダイヤフラムポンプ装置もあるが、チューブが外部に配設されるため、ダイヤフラムポンプの周辺に存在する他の構造体に対する干渉の原因となり、チューブの破れ、外れが発生した場合に駆動流体が漏れ、好ましくない事態を生じる。
【０００７】
また、切り換えバルブアッセンブリブロックの各ポートに対するパイロットバルブアッセンブリブロックの各ポートの位置が定まらないために、チューブの組み付け位置がその都度変化し、ダイヤフラムポンプの性能にバラツキが生じる。
【０００８】
本発明は、上記の事情に鑑みて為されたもので、その目的とするところは、パイロットバルブアッセンブリブロックの本体ブロックに対する位置合わせ加工精度をことさらに要求しなくとも簡単かつ容易にしかも精確に本体ブロックにパイロットアッセンブリブロックを組み付けることのできる往復動式流体移送ポンプを提供することにある。
【０００９】
【課題を解決するための手段】
請求項１に記載の往復動式流体移送ポンプは、本体ブロックに対して往復動されるセンターロッドの端部に設けられて送液室と駆動室とを画成する隔膜を拡縮させて、送液室に流入する移送流体を送出するものにおいて、
前記本体ブロックにメインリング及びサブリングを介して前記隔膜の周辺部が挟持固定され、前記メインリング及びサブリングにより前記センターロッドの往復動を検出するパイロットバルブを一体に有するパイロットバルブアッセンブリブロックが、前記本体ブロックに対して押し付け固定されていることを特徴とする。
【００１０】
請求項２に記載の往復動式流体移送ポンプは、前記本体ブロックに前記センターロッドの可動方向を切り換えるための切り換えバルブを一体に有する切り換えバルブアッセンブリブロックが固定され、該切り換えバルブアッセンブリブロックと前記パイロットバルブアッセンブリブロックとが、前記切り換えバルブの各ポートと前記パイロットバルブの各ポートとを接続する流路を形成する配管ブロックにより接続されていることを特徴とする。
【００１１】
請求項３に記載の往復動式流体移送ポンプは、前記各ポートと前記配管ブロックの各流路とがコネクタにより接続されていることを特徴とする。
請求項４に記載の往復動式流体移送ポンプは、前記配管ブロックが前記パイロットバルブアッセンブリブロックを介して前記本体ブロックに固定されていることを特徴とする。
【００１２】
図３において、１は台板、２は本体ブロックである。本体ブロック２は台板１に適宜固定され、本体ブロック２には図２に示すように移送流体を供給する供給通路３と移送流体を排出する吐出通路４とが形成されていると共に、図３に示すようにセンターロッド５が往復動可能に配設されている。
【００１３】
そのセンターロッド５の両端部には隔膜の一例としてのダイヤフラム６、７が設けられている。この場合、ダイヤフラム６、７の周辺部６ａ、７ａは後述するメインリング３０と本体ブロック２とにより挟持される。
【００１４】
その本体ブロック２には、その供給通路３に吸入ポート８、９が設けられ、その吐出通路４には吐出ポート１０、１１が設けられている。その吸入ポート８、９、吐出ポート１０、１１には各ポートを開閉するチェック弁として機能するボール弁１２〜１５が設けられている。
【００１５】
その本体ブロック２の両側には、パイロットバルブ１６を一体に有するパイロットバルブアッセンブリブロック１７、１８が設けられている。パイロットバルブ１６の構成、機能については公知であるのでその詳細な説明は省略する。
【００１６】
このパイロットバルブアッセンブリブロック１７、１８と本体ブロック２との間の空間がダイヤフラム６、７によって送液室１９、２０と駆動室２１、２２とに仕切られ、パイロットバルブアッセンブリブロック１７、１８は駆動室構成用ブロックとしても用いられる。その供給通路３は吸入ポート８、９を介して送液室１９、２０に連通され、その送液室１９，２０は吐出ポート１０、１１を介して吐出通路４に連通されている。
【００１７】
その本体ブロック２には、図２に示すように切り換えバルブアッセンブリブロック２３がボルト２３Ａにより固定され、この切り換えバルブアッセンブリブロック２３にはセンターロッド５の可動方向を切り換えるための切り換えバルブ２４が一体に設けられると共に、排気弁体２５が一体に設けられている。その切り換えバルブ２４、排気弁体２５の構成、機能は公知であるのでその詳細な説明は省略する。
【００１８】
その切り換えバルブ２４の各ポート２４ａとパイロットバルブ１６の各ポート１６ａとは、流路２６ａを形成するための配管ブロック２６のコネクタ２７にを介して接続される。その配管ブロック２６は、図４、図５に示すようにボルト２８によりパイロットバルブアッセンブリブロック１７、１８に固定される。
【００１９】
メインリング３０は、図１に示すように、外周環状部３１と内周環状部３２とを有し、外周環状部３１と内周環状部３２との間には本体ブロック部２に形成された環状壁３３が進入する環状空間とされている。その環状壁３３の外周部には環状歯部３３ａが形成され、外周環状部３１の内周面には環状歯部３１ａが形成されている。
【００２０】
内周環状部３２は本体ブロック２と協働してダイヤフラム６、７の周辺部を挟持する挟持端部３２ａを有すると共に、内周方向に向かって突出する突出する内方フランジ３２ｂを有する。
【００２１】
パイロットバルブアッセンブリブロック１７、１８はメインリング３０を本体ブロック２に螺合させてこれを本体ブロック２に対して組み付ける際に、本体ブロック２に向かって押し付けられ、メインリング３０により本体ブロック２に対して抜け止めされないようにされるが、後述するサブリング３４により締め付けるまではその回動が自由である。
【００２２】
そのパイロットバルブアッセンブリブロック１７、１８の外周部には環状歯部１７ａ、１８ａが形成されている。その環状歯部１７ａ、１８ａには内周部に環状歯部３４ａを有するサブリング３４が螺合される。
【００２３】
パイロットバルブアッセンブリブロック１７、１８を本体ブロック２に組み付けて、そのパイロットバルブ１６の各ポート１６ａと切り換えバルブ２４の各ポート２４ａとを接続して流路２６ａを形成する際には、配管ブロック２６のコネクタ２７を切り換えバルブ２４の各ポート２４ａに接続し、次いで、本体ブロック２に対してパイロットバルブアッセンブリブロック１７、１８を回動させて、そのパイロットバルブ１６の各ポート１６ａを配管ブロック２６のコネクタ２７に接続し、サブリング３４をパイロットバルブアッセンブリブロック１７、１８のネジ部に対して螺合させ締付ける方向に回すと、パイロットバルブアッセンブリブロック１７、１８が内方フランジ３２ｂに当接する。これにより、パイロットバルブアッセンブリブロック１７、１８がダイヤフラム６、７と共にメインリング３０及びサブリング３４により固定される。その後、配管ブロック２６はボルト２８によりパイロットバルブアッセンブリブロック１７、１８に締め付け固定される。
【００２４】
以上の構成による往復動式流体移送ポンプの一実施例としてのダイヤフラムポンプは、右側（他方側）の駆動室２２に圧縮空気が供給されると、センターロッド５が図６（Ａ）に示すように左側（一方側）に移動し、ダイヤフラム７の拡縮により右側（他方側）の送液室２０の移送流体が吐出通路４に押し出される。これと同時に、左側（一方側）の駆動室２１の圧縮空気が外部に排気されると共に、供給通路３を介して左側の送液室（一方側）１９に移送流体が吸入される。パイロットバルブ１６がセンターロッド５の当接を検知すると切り換えバルブ２４が自動的に流路２６ａを切り換え、センターロッド５が図６（Ｂ）に示すように右側（他方側）に移動し、ダイヤフラム６の拡縮により左側（一方側）の駆動室２１に圧縮空気が供給され、左側（一方側）の送液室１９の移送流体が吐出通路４に押し出される。これと同時に、右側（他方側）の駆動室２２の圧縮空気が外部に排気されると共に、供給通路３を介して右側（他方側）の送液室２０に移送流体が供給される。
【００２５】
なお、図１において、符号３５、３６は送液室１９からの漏出を阻止する封止用のＯリングであり、３７は圧縮空気開放栓である。
【００２６】
【発明の効果】
本発明は、以上説明したように構成したので、パイロットバルブアッセンブリブロックの本体ブロックに対する位置合わせ加工精度をことさらに要求しなくとも簡単かつ容易にしかも精確な封止状態で本体ブロックとパイロットアッセンブリブロックとの間に例えばダイヤフラムからなる隔膜を組み付けることができる。
【図面の簡単な説明】
【図１】図２のＡ−Ａ線に沿う断面図である。
【図２】図３のＢ−Ｂ線に沿う断面図である。
【図３】本発明の一実施例に係るダイヤフラムポンプの正面図であって一部を破断して示す断面図である。
【図４】図３の矢視Ｘ方向からダイヤフラムポンプを目視した図である。
【図５】図４に示す配管ブロックの一部を破断して示す部分断面図である。
【図６】本発明の一実施例に係るダイヤフラムポンプの作用を概念的に示す説明図であって、（Ａ）はセンターロッドが一方側に移動している状態を示す図、（Ｂ）はセンターロッドが他方側に移動している状態を示す図である。
【符号の説明】
２…本体ブロック
５…センターロッド
６、７…隔膜（ダイヤフラム）
１６…パイロットバルブ
１７、１８…パイロットバルブアッセンブリブロック
１９、２０…送液室
２１、２２…駆動室
２６…配管ブロック
３０…メインリング
３４…サブリング
【図１】
2004308475.tif 000003
【図２】
2004308475.tif 000004
【図３】
2004308475.tif 000005
【図４】
2004308475.tif 000006
【図５】
2004308475.tif 000007
【図６】
2004308475.tif 000008